(57)【要約】【課題】複数画面を複数のユーザが別々のリモコンで操作するに際し、各リモコンで操作対象となる画面を自動的に特定することが可能な表示装置を提供する。【解決手段】表示装置（テレビジョン受像機１で例示）は、映像を表示する表示手段２５と、表示手段２５に複数画面を同時に表示するよう制御する複数画面表示制御手段とを備え、リモコン４Ａ，４Ｂで操作可能とする。テレビジョン受像機１は、複数画面表示制御手段で所定数の画面（ここでは２画面で例示）を表示する制御を行っている間の、２画面のうちリモコン４Ａ，４Ｂで操作対象となる画面を特定する操作画面特定手段を備える。この操作画面特定手段は、テレビジョン受像機１の本体とリモコン４Ａとの通信によってリモコン４Ａの操作対象画面を画面Ｉ（３Ｌ）に特定し、本体とリモコン４Ｂとの間の通信によってリモコン４Ｂの操作対象画面を画面ＩＩ（３Ｒ）に特定する。【選択図】図３
2008034977.tif 000002
【特許請求の範囲】
【請求項１】
映像を表示する表示手段と、該表示手段に複数画面を同時に表示するよう制御する複数画面表示制御手段とを備え、複数のリモートコントローラで操作可能な表示装置であって、前記複数画面表示制御手段で所定数の画面を同時に表示する制御を行っている間の画面それぞれを、前記所定数のリモートコントローラそれぞれに対する操作対象画面として特定する操作画面特定手段を備え、該操作画面特定手段は、当該表示装置の本体と前記所定数のリモートコントローラそれぞれとの間の通信によって、それぞれの操作対象画面の特定を行うことを特徴とする表示装置。
【請求項２】
前記操作画面特定手段は、複数の基準信号を別々の位置から同時に送信する基準信号送信手段と、該複数の基準信号を受信し、該受信した複数の基準信号に基づき前記本体に対する前記リモートコントローラの位置を特定し、前記所定数の画面のうち該特定した位置に対応する画面を操作対象画面として決定し、該決定した画面用の信号を送信する特定信号送信手段とを備え、前記基準信号送信手段は前記本体側に設け、前記特定信号送信手段は前記リモートコントローラ側に設けたことを特徴とする請求項１に記載の表示装置。
【請求項３】
前記特定信号送信手段は、前記基準信号送信手段から受信した複数の基準信号に基づき、前記リモートコントローラの位置が速く到達した基準信号が発せられた位置に近い側にあることを特定し、前記所定数の画面のうち該特定した位置に対応する画面を操作対象画面として決定し、該決定した画面用の信号を送信することを特徴とする請求項２に記載の表示装置。
【請求項４】
前記基準信号送信手段は、前記複数の基準信号を所定の間隔で送信し、前記特定信号送信手段は、前記複数の基準信号を受信して操作対象画面を決定する度に、該決定した画面用の信号を送信することを特徴とする請求項２又は３に記載の表示装置。
【請求項５】
前記特定信号送信手段は、前記リモートコントローラで操作がなされる度に、該操作に対応する操作信号と共に、前記決定した画面用の信号を送信することを特徴とする請求項２又は３に記載の表示装置。
【請求項６】
前記操作画面特定手段は、複数の基準信号を別々の位置から同時に送信する基準信号送信手段と、該複数の基準信号を受信し、該受信した複数の基準信号間の時間差を検出して、該時間差を示す時間差信号を送信する時間差送信手段と、該時間差送信手段で送信された時間差信号に基づき、前記本体に対する前記リモートコントローラの位置を特定し、前記所定数の画面のうち該特定した位置に対応する画面を操作対象画面として決定する操作画面決定手段とを備え、前記基準信号送信手段及び前記操作画面決定手段は前記本体側に設け、前記時間差送信手段は前記リモートコントローラ側に設けたことを特徴とする請求項１に記載の表示装置。
【請求項７】
前記基準信号送信手段は、前記複数の基準信号を所定の間隔で送信し、前記時間差送信手段は、前記複数の基準信号を受信して時間差を検出する度に、該検出した時間差を示す時間差信号を送信することを特徴とする請求項６に記載の表示装置。
【請求項８】
前記時間差送信手段は、前記リモートコントローラで操作がなされる度に、該操作に対応する操作信号と共に、前記時間差信号を送信することを特徴とする請求項６に記載の表示装置。
【請求項９】
前記操作画面特定手段は、前記リモートコントローラでの操作に対応して送信される操作信号を、異なる位置で別々に受信する複数の操作信号受信手段と、各操作信号受信手段で受信した同じ操作信号の時間差に基づき、前記操作信号を送信したリモートコントローラの前記本体に対する位置を特定し、前記所定数の画面のうち該特定した位置に対応する画面を操作対象画面として決定する操作画面決定手段とを、前記本体側に設けたことを特徴とする請求項１に記載の表示装置。
【発明の詳細な説明】
【技術分野】
【０００１】
本発明は、表示装置に関し、より詳細には、リモートコントローラで操作可能で且つ複数画面表示が可能な表示装置に関する。
【背景技術】
【０００２】
テレビジョン受像機（以下、ＴＶ受像機という）には、従来から複数画面（マルチ画面）表示機能が備わっており、この機能により、複数のチャンネルの映像を同時に表示することや、録画機器やパーソナルコンピュータ（ＰＣ）等から外部入力された外部映像と本体で受信した映像とを同時に表示することが可能となっている。
【０００３】
特許文献１には、カラーキーによる選択方法に慣れたデジタル放送のユーザにとって、特別なボタンや知識を必要とせずに、マルチ画面を操作することを可能にしたデジタル放送受像機が開示されている。このデジタル放送受信機では、マルチ画面において、各画面のふちに赤、青、緑、黄のいずれかの色をつけておき、リモートコントローラ（以下、リモコンという）にて操作する場合、各画面に対応したカラーキーを押した後に、チャンネル、音量などのキーを押すことにより、画面選択を容易に行うことが可能となっている。
【特許文献１】特開２００４−３３６４１４号公報
【発明の開示】
【発明が解決しようとする課題】
【０００４】
一方で、マルチ画面のうち各画面毎に異なったユーザが視聴していた場合、各ユーザは各々が視聴する画面を操作したくなる。しかしながら、特許文献１に記載の技術は、１つのリモコンで操作対象画面を切り替えながら操作を行う技術であるため、２人以上のユーザが同じＴＶ受像機における別々の画面を操作したい場合には、そのリモコンを手渡しで交互に持ち合いしながら使用して操作するか、或いはリモコンを手元にもっている一人のユーザに対して他のユーザが操作指示を言動によって伝えてその一人のユーザに代わりに操作してもらう必要がある。
【０００５】
このような手間を省くためには、複数のユーザが複数のリモコンを使用してマルチ画面をシェアして使用し、各リモコンで操作対象となる画面を特定する必要がある。なお、特許文献１に記載の技術は、１つのリモコンで複数の画面を操作する方法に関するものであり、複数のリモコンで同時に複数画面を操作することはできない。
【０００６】
また、このような問題は、ＴＶ受像機に限らず、ＰＣ等のコンピュータに接続してデータ表示を行うディスプレイ、テレビ放送の他、データ表示等を行いプレゼンテーションを行うための大型スクリーンなどの表示装置に対しても生ずる。
【０００７】
本発明は、上述のごとき実情に鑑みてなされたものであり、複数画面を複数のユーザが別々のリモコンで操作するに際し、各リモコンで操作対象となる画面を自動的に特定することが可能な表示装置を提供することを、その目的とする。
【課題を解決するための手段】
【０００８】
上述のごとき課題を解決するために、本発明の第１の技術手段は、映像を表示する表示手段と、該表示手段に複数画面を同時に表示するよう制御する複数画面表示制御手段とを備え、複数のリモートコントローラで操作可能な表示装置であって、前記複数画面表示制御手段で所定数の画面を同時に表示する制御を行っている間の画面それぞれを、前記所定数のリモートコントローラそれぞれに対する操作対象画面として特定する操作画面特定手段を備え、該操作画面特定手段は、当該表示装置の本体と前記所定数のリモートコントローラそれぞれとの間の通信によって、それぞれの操作対象画面の特定を行うことを特徴としたものである。
【０００９】
第２の技術手段は、第１の技術手段において、前記操作画面特定手段は、複数の基準信号を別々の位置から同時に送信する基準信号送信手段と、該複数の基準信号を受信し、該受信した複数の基準信号に基づき前記本体に対する前記リモートコントローラの位置を特定し、前記所定数の画面のうち該特定した位置に対応する画面を操作対象画面として決定し、該決定した画面用の信号を送信する特定信号送信手段とを備え、前記基準信号送信手段は前記本体側に設け、前記特定信号送信手段は前記リモートコントローラ側に設けたことを特徴としたものである。
【００１０】
第３の技術手段は、第２の技術手段において、前記特定信号送信手段は、前記基準信号送信手段から受信した複数の基準信号に基づき、前記リモートコントローラの位置が速く到達した基準信号が発せられた位置に近い側にあることを特定し、前記所定数の画面のうち該特定した位置に対応する画面を操作対象画面として決定し、該決定した画面用の信号を送信することを特徴としたものである。
【００１１】
第４の技術手段は、第２又は第３の技術手段において、前記基準信号送信手段は、前記複数の基準信号を所定の間隔で送信し、前記特定信号送信手段は、前記複数の基準信号を受信して操作対象画面を決定する度に、該決定した画面用の信号を送信することを特徴としたものである。
【００１２】
第５の技術手段は、第２又は第３の技術手段において、前記特定信号送信手段は、前記リモートコントローラで操作がなされる度に、該操作に対応する操作信号と共に、前記決定した画面用の信号を送信することを特徴としたものである。
【００１３】
第６の技術手段は、第１の技術手段において、前記操作画面特定手段は、複数の基準信号を別々の位置から同時に送信する基準信号送信手段と、該複数の基準信号を受信し、該受信した複数の基準信号間の時間差を検出して、該時間差を示す時間差信号を送信する時間差送信手段と、該時間差送信手段で送信された時間差信号に基づき、前記本体に対する前記リモートコントローラの位置を特定し、前記所定数の画面のうち該特定した位置に対応する画面を操作対象画面として決定する操作画面決定手段とを備え、前記基準信号送信手段及び前記操作画面決定手段は前記本体側に設け、前記時間差送信手段は前記リモートコントローラ側に設けたことを特徴としたものである。
【００１４】
第７の技術手段は、第６の技術手段において、前記基準信号送信手段は、前記複数の基準信号を所定の間隔で送信し、前記時間差送信手段は、前記複数の基準信号を受信して時間差を検出する度に、該検出した時間差を示す時間差信号を送信することを特徴としたものである。
【００１５】
第８の技術手段は、第６の技術手段において、前記時間差送信手段は、前記リモートコントローラで操作がなされる度に、該操作に対応する操作信号と共に、前記時間差信号を送信することを特徴としたものである。
【００１６】
第９の技術手段は、第１の技術手段において、前記操作画面特定手段は、前記リモートコントローラでの操作に対応して送信される操作信号を、異なる位置で別々に受信する複数の操作信号受信手段と、各操作信号受信手段で受信した同じ操作信号の時間差に基づき、前記操作信号を送信したリモートコントローラの前記本体に対する位置を特定し、前記所定数の画面のうち該特定した位置に対応する画面を操作対象画面として決定する操作画面決定手段とを、前記本体側に設けたことを特徴としたものである。
【発明の効果】
【００１７】
本発明によれば、表示装置において、複数画面を複数のユーザが別々のリモコンで操作するに際し、各リモコンで操作対象となる画面を自動的に特定することが可能となる。
【発明を実施するための最良の形態】
【００１８】
本発明に係る表示装置は、映像を表示する表示手段と、表示手段に複数画面を同時に表示するよう制御する複数画面表示制御手段とを備え、複数のリモコンで操作可能であり、本発明の主たる特徴部分として後述する、各リモコンに対応した操作対象画面を特定する処理（以下、操作画面特定処理という）を行う操作画面特定手段を備えるものとする。
【００１９】
この操作画面特定手段は、複数画面表示制御手段で所定数の画面を同時に表示する制御を行っている間の、所定数の画面のうちリモコンで操作対象となる画面（操作対象画面）を割り当てる手段である。すなわち、この操作画面特定手段は、複数画面表示制御手段で所定数の画面を同時に表示する制御を行っている間の画面それぞれを、同時表示画面数と同じ所定数のリモコンそれぞれに対する操作対象画面として特定する手段である。この操作画面特定手段は、表示装置の本体と所定数のリモコンそれぞれとの間の通信によって、それぞれの操作対象画面を特定する。このようにして、表示装置は、複数画面表示制御手段で所定数の画面を同時表示する制御を行っている間、それらの画面を所定数のリモコンで同時操作することが可能になる。
【００２０】
以下、本発明に係る表示装置について、ＴＶ受像機を例に挙げて説明するが、他の表示装置、例えば、ＰＣ等のコンピュータに接続してデータ表示を行うディスプレイ、テレビ放送の他、データ表示等を行いプレゼンテーションを行うための大型スクリーン（例えば１００〜５００インチ）などの表示装置に対しても、同様に適用できる。なお、画面数及びリモコン数を２又は４とした例のみ説明するが、本発明は、２以上の数であれば同様に適用できる。
【００２１】
図１は、本発明の一実施形態に係るＴＶ受像機の一構成例を示すブロック図、図２は、図１のＴＶ受像機に付属するリモコンの一例を示す外観図、図３は、図１のＴＶ受像機における２つのリモコンに対する操作対象画面の特定処理を説明するための概観図、図４は、図３の特定処理を説明するためのフロー図である。図１及び図３において１はＴＶ受像機であり、図１乃至図３において４Ａ，４Ｂはリモコンである。
【００２２】
図１で例示するＴＶ受像機１は、デジタル放送とアナログ放送とのいずれも受信可能なＴＶ受像機であって、アナログ放送を受信する受信アンテナ１１と、デジタル放送を受信する受信アンテナ１２と、アナログ放送の受信信号をチューニング（選局）するアナログチューナ部１３と、デジタル放送の受信信号をチューニングするデジタルチューナ部１４と、アナログ放送の受信データからオーディオデータ／ビデオデータを抽出するＡＶスイッチ部１５と、チューニングされたデジタル放送のデータを復調するデジタル復調部１６とを備える。なお、衛星放送等の他の放送を受信するには、同様にアンテナ、チューナ、及び復調部などをＴＶ受像機１に設ければよい。
【００２３】
また、ＴＶ受像機１は、ＥＰＧ（電子番組ガイド）データの抽出や、復調されたデータの分離を行う分離部１７と、分離されたデジタル放送のビデオデータをデコードしたり、ビデオ情報を静止画としてキャプチャするビデオデコード／キャプチャ部１８と、アナログ放送のビデオ信号とデジタル放送のビデオ信号との切換を行うビデオセレクタ部１９と、分離されたＥＰＧの処理や、ＯＳＤ（オンスクリーンディスプレイ）の表示処理を行うと共に、ＥＰＧと予約情報とをミックスさせて表示する処理を行うＥＰＧ／ＯＳＤ／予約処理部２０とを備える。なお、ＥＰＧの他にＥＳＧ（電子シンプルガイド）やテレテキストも表示可能としてもよい。
【００２４】
また、ＴＶ受像機１は、分離されたオーディオデータをデコードするオーディオデコード部２１と、セレクトされたビデオ信号とＥＰＧやＯＳＤとを合わせてからビデオ出力として変換するビデオ出力変換部２２と、アナログ放送のオーディオ信号とデジタル放送のオーディオ信号の切換を行うオーディオセレクタ部２３と、セレクトされたオーディオ信号を出力信号に変換するオーディオ出力変換部２４と、アナログ放送及びデジタル放送のチューナでの選局処理を行う選局部２７とを備える。
【００２５】
さらに、ＴＶ受像機１は、上述の表示手段の一例として液晶表示装置２５を備え、また音声出力用にスピーカ２６を備える。液晶表示装置２５は、ビデオ出力変換部２２から出力されたビデオ信号（映像信号）を表示する。本発明における表示手段としては、当然、プラズマパネルディスプレイ等の他の方式の表示装置を適用してもよい。スピーカ２６は、オーディオ出力変換部２４から出力された出力信号に基づき音声を出力する。
【００２６】
また、ＴＶ受像機１は、ユーザが操作するリモコン４Ａ，４Ｂからの信号を受信するリモコン受光部３２と、電話回線、ＬＡＮ、インターネット等のネットワーク網との通信制御を行うと共に、ＥＰＧデータの取得等に使用される通信制御部３１とを備える。
【００２７】
そして、ＴＶ受像機１は、本実施形態に係る操作画面特定処理を行うために、操作画面特定手段の一部として、基準信号送信部Ａ（３３Ａ）及び基準信号送信部Ｂ（３３Ｂ）を備える。基準信号送信部Ａ（３３Ａ）と基準信号送信部Ｂ（３３Ｂ）とは、離間して設けておく必要があり、好ましくは本体の両端に設ける。本体の両端に設けることで、基準信号送信部Ａ（３３Ａ）が左画面Ｉ（３Ｌ）に近く、基準信号送信部Ｂ（３３Ｂ）が右画面ＩＩ（３Ｒ）に近くなる。
【００２８】
また、基準信号送信部Ａ（３３Ａ）は、所定間隔、ＴＶ受像機１の起動時、所定時刻、或いはそれらを組み合わせたタイミングで基準信号Ａを送信する。また、基準信号送信部Ｂ（３３Ｂ）も、基準信号送信部Ａ（３３Ａ）と同じタイミングで基準信号Ｂを送信する。基準信号Ａ，Ｂは、操作画面特定処理を遂行するために、リモコン４Ａ，４Ｂの双方に対して送信されるものであり、指向性を特に有するものではない。
【００２９】
また、ＴＶ受像機１は、本発明の主たる特徴部分である操作画面特定処理をはじめとする全体の処理を実行するＣＰＵ２９と、任意のアドレスを指定して読み書きすることが可能な半導体メモリであってＣＰＵ２９の作業領域となって不揮発性メモリ３０に格納されたプログラムを読み出したり、処理中のデータを一時的に格納したりするＲＡＭ２８と、プログラムや、ＥＰＧデータやユーザデータなどの各種データが格納される書換え可能な不揮発性メモリ３０とを備える。
【００３０】
不揮発性メモリ３０に格納されＣＰＵ２９によってＲＡＭ２８上に読み出されて実行されるプログラムには、ＴＶ受像機１全体の制御を行うプログラムの他に、上述の複数画面表示制御手段における複数画面表示制御を実行するための制御プログラムや、上述の操作画面特定手段における操作画面特定処理の一部である基準信号送信処理を実行するための基準信号送信プログラムも含まれることとなる。
【００３１】
この基準信号送信プログラムを実行したＣＰＵ２９は、所定のタイミングで基準信号Ａ，Ｂの送信をそれぞれ基準信号送信部Ａ（３３Ａ），Ｂ（３３Ｂ）に対して実行させるよう制御するが、ＣＰＵ２９で制御する形態に限らず、基準信号送信部Ａ（３３Ａ），Ｂ（３３Ｂ）が単独に所定のタイミングでそれぞれ基準信号Ａ，Ｂの送信を実行するよう構成してもよい。
【００３２】
一方、図２で例示するリモコン４Ａ（４Ｂ）は、映像表示装置の電源のオン／オフを操作する電源ボタン４０、チャンネル番号を選択する操作を行うためのチャンネル選択ボタン４１、チャンネル番号を上方向及び下方向に操作して選択するチャンネル上下ボタン４２、アナログ、デジタル、放送衛星（ＢＳ）、及び通信衛星（ＣＳ）の間で受信する放送を切り換える放送切換ボタン４３、外部接続機器を含めた入力ソースを切り換える入力切換ボタン４５、ＥＰＧ等の電子番組表を表示する操作を行うための番組表表示ボタン４５ａ、テレテキストを表示する操作を行うためのテレテキスト表示ボタン４５ｂ、現在受信中の番組に対する番組情報を表示する操作を行うための番組情報表示ボタン４５ｃ、ＴＶ受像機１の各種設定を行うメニュー画面を表示する操作を行うためのメニュー画面表示ボタン４６、メニューをはじめ設定時のカーソル位置の左右上下方向への移動操作や決定操作を行うための移動・決定ボタン４７、各処理を一つ前の段階に戻す操作を行う戻りボタン４８ａ、各処理を終了させる操作を行う終了ボタン４８ｂ、及び、カラーボタン４９が設けられている。
【００３３】
カラーボタン４９としては、赤ボタン４９ｒ、緑ボタン４９ｇ、黄ボタン４９ｙ、及び青ボタン４９ｂが、テレテキスト画面やＥＰＧ／ＥＳＧの画面やメニュー画面などを表示しているときの簡易操作用として設けられている。カラーボタン４９は、各ボタン４９ｒ，４９ｇ，４９ｙ，４９ｂのそれぞれの押下操作に対する応答をユーザに提示するために、テレテキスト画面やＥＰＧ／ＥＳＧの画面やメニュー画面に各ボタンの画像及びその説明を表示しておくとよい。
【００３４】
リモコン４Ａ，４Ｂは、それぞれ、搭載されたボタンの押下によって操作信号を生成し、ＴＶ受像機１のリモコン受光部３２へその操作信号を送信する。なお、操作信号は赤外線通信で送受信されることが多いが、他の方式であってもよく、また後述する操作画面特定に関して送信及び又は受信される信号も同様である。また、リモコン４Ａ，４Ｂは、通常、ＴＶ受像機１に付属するものであるが、別々に流通させたものでもよい。
【００３５】
そして、リモコン４Ａ，４Ｂは、それぞれ、操作画面特定手段の一部として、図４で例示する処理を実行する特定信号送信手段を備えるものとする。特定信号送信手段は、送信用ハードウェアと、そのハードウェアを制御し且つ次のような処理を実行するプログラム（リモコン側プログラム）を組み込んで構成するとよい。ここで、リモコン４Ａ，４Ｂには、予め別々のコードを割り当てておく。
【００３６】
リモコン４Ａにおける特定信号送信手段は、基準信号送信部Ａ（３３Ａ）及び基準信号送信部Ｂ（３３Ｂ）から基準信号Ａ，Ｂを受信し（ステップＳ１）、受信した基準信号Ａ，Ｂに基づき本体に対するリモコン４Ａの位置を特定し（ステップＳ２）、２画面のうち特定した位置に対応する画面Ｉ（３Ｌ）を操作対象画面として決定し（ステップＳ３）、決定した画面用の信号を送信する（ステップＳ４／Ｓ５）。画面用の信号の送信方式は、通常の操作信号と同様の方式を採用すればよい。
【００３７】
より具体的には、ステップＳ２においては、基準信号送信部Ａ（３３Ａ）から発せられた基準信号Ａと基準信号送信部Ｂ（３３Ｂ）から発せられた基準信号Ｂとのいずれの信号が速くリモコン４Ａで受信できたかを、リモコン４Ａが判定する。ステップＳ３では、基準信号Ａ，Ｂのいずれを速く受信したかに応じて、基準信号送信部Ａ（３３Ａ）がリモコン４Ａに近いか、或いは基準信号送信部Ｂ（３３Ｂ）がリモコン４Ａに近いかを、リモコン４Ａが判定する。図３の例では、リモコン４Ａが基準信号送信部Ａ（３３Ａ）に近くに存在する。従って、ステップＳ４では、ステップＳ３によりリモコン４Ａが基準信号送信部Ａ（３３Ａ）に近いと判定され、リモコン４Ａで、基準信号送信部Ａ（３３Ａ）に近い側の画面Ｉ（３Ｌ）を操作することを決定し、リモコン４Ａ用の送出コードに、画面Ｉ（３Ｌ）を操作する情報（特定信号）を加えて送信する。
【００３８】
リモコン４Ｂにおける特定信号送信手段も、同様に、基準信号送信部Ａ（３３Ａ）及び基準信号送信部Ｂ（３３Ｂ）から基準信号Ａ，Ｂを受信し（ステップＳ１）、受信した基準信号Ａ，Ｂに基づき本体に対するリモコン４Ｂの位置を特定し（ステップＳ２）、２画面のうち特定した位置に対応する画面ＩＩ（３Ｒ）を操作対象画面として決定し（ステップＳ３）、決定した画面用の信号（特定信号）を送信する（ステップＳ４／Ｓ５）。リモコン４Ｂに対しても、ステップＳ１〜Ｓ３の詳細部分は同様であり、また画面用の信号の送信方式も通常の操作信号と同様の方式を採用すればよい。
【００３９】
そして、図３の配置のリモコン４Ｂに対しては、ステップＳ３での判定により、ステップＳ５が実行されることとなる。ステップＳ５では、ステップＳ３によりリモコン４Ｂが基準信号送信部Ｂ（３３Ｂ）に近いと判定され、リモコン４Ｂで、基準信号送信部Ｂ（３３Ｂ）に近い側の画面ＩＩ（３Ｒ）を操作することを決定し、リモコン４Ｂ用の送出コードに、画面ＩＩ（３Ｒ）を操作する情報（特定信号）を加えて送信する。
【００４０】
このように、２つのリモコン４Ａ，４Ｂで２画面を操作する場合、ＴＶ受像機１の本体の左右２箇所から発射された基準信号をリモコン４Ａ，４Ｂで検出し、速く信号が到達した側の画面を操作できるように、リモコン４Ａの送出コード（キーコード），リモコン４Ｂのキーコードに情報（特定信号）を加えて、本体側に送信する。
【００４１】
そして、リモコン受光部３２では、ユーザが操作するリモコン４Ａ（／４Ｂ）から、リモコン４Ａ（／４Ｂ）用のキーコードに画面Ｉ（／画面ＩＩ）を操作することを示す特定信号が付加された信号を受信し、ＣＰＵ２９は、その信号に基づいて、リモコン４Ａと画面Ｉ（３Ｌ）とを関連付け、リモコン４Ｂと画面ＩＩ（３Ｒ）とを関連付ける処理を実行する。この関連付けの処理、すなわち割り当ての処理も、ＣＰＵ２９で実行可能に不揮発性メモリ３０に格納された上述のプログラムの一つとして組み込まれる。
【００４２】
ＣＰＵ２９は、このような割り当てがなされた後は、リモコン受光部３２で受信したリモコン４Ａ，４Ｂからの送出コード付き操作信号を、受信した送出コード及び割り当てに基づき現在表示中の画面のいずれに対する操作信号であるかを判定して、対応する画面の操作信号としてその操作を実行するようＴＶ受像機１内の各部を制御する。
【００４３】
また、所定のタイミングとして、基準信号の送信を所定の間隔で実行する場合には、特定信号を、基準信号を受信して操作対象画面を決定する度に送信するようにするとよい。また、所定のタイミングがどのようなものかに拘わらず、特定信号は、リモコンで操作がなされる度に、その操作に対応する操作信号と共に、送信するようにしてもよい。この場合、ＣＰＵ２９が毎回、特定信号を判定して操作対象画面を判別して、その操作対象画面に対して同時に受信した操作信号が示す操作を実行するようＴＶ受信機１内の各部を制御するようにしてもよい。
【００４４】
また、基準信号の送信場所、すなわち基準信号送信部は、２カ所に限らず、３カ所以上であってもよく、複数の場所より発射された基準信号をリモコン側で検出することにより、本体に対する位置（距離）を特定することができる。そして、本体に表示された複数画面（２画面以上でもよい）のどの画面を操作したいのかの情報を、リモコンを示すキーコードに加えて送信することで、本体側はどのリモコンがどの画面を操作するものであるかを認識・設定することができる。例えば、３画面、４画面を操作する場合には、本体の３箇所、４箇所から発射された基準信号をリモコンで検出し、基準信号の検出時間より、その場所から操作する最適な位置の画面となるように、リモコンのキーコードに情報を加えて送信するとよい。
【００４５】
このように、本実施形態では、マルチ画面の数と同じ数のリモコンを使用し、リモコンを操作する場所をＴＶ受像機本体から送信される基準信号から特定することにより、そのリモコンがどの画面を操作するかを特定し、リモコンコードにどの画面を操作するかの情報を加えて送信する。従って、本実施形態によれば、特に大型テレビに表示されるマルチ画面を複数のユーザ（リモコン）でシェアする場合に、どの画面をどのユーザが操作したいのかを自動的に判定し切り分けることが可能になり、結果として、複数のユーザが同時に自動的に操作したい画面を操作することが可能になる。
【００４６】
また、例えば２画面の場合、予め右画面用リモコンと左画面用リモコンとを用意しておくことも考えられるが、このような形態では、ユーザが左画面を使用したい場合、右画面用リモコンを左画面用リモコンに持ち替える必要がある。本実施形態では、このような必要がなく、単にリモコンを持った状態で操作したい画面の近くにユーザ自身が移動すれば済むことになる。
【００４７】
図５は、図１のＴＶ受像機における４つのリモコンに対する操作対象画面の特定処理を説明するための概観図である。図５のようにリモコン数及び画面数が４つで、且つ基準信号送信部が２カ所である場合には、図４におけるステップＳ２の判定並びにその判定結果に基づくステップＳ３〜Ｓ５の分岐処理を異ならしめればよく、その応用形態や効果も上述した通りである。ここで、リモコン４Ａ，４Ｂ，４Ｃ，４Ｄには、予め別々のコードを割り当てておく。
【００４８】
より具体的には、ステップＳ２の代わりに、基準信号送信部Ａ（３３Ａ）から発せられた基準信号Ａが基準信号送信部Ｂ（３３Ｂ）から発せられた基準信号Ｂよりどれだけ速くリモコン４Ａで受信できたかを、リモコン４Ａが、予め用意した３つの閾値Ｔ１〜Ｔ３と比較して判定する。続いて、ステップＳ３の代わりに、基準信号Ａが基準信号Ｂよりどれだけ速く受信したかに応じて、本体からの放射状に４分割されたどの方向からの信号であるかを判定する。ここで、Ｔ１＜Ｔ２（＝０）＜Ｔ３などとしておくことで、Ｔ１以下であった場合、リモコンが基準信号送信部Ａ（３３Ａ）に近く且つ正面ではない位置に存在することが判定でき、逆にＴ３以上でリモコンが基準信号送信部Ｂ（３３Ｂ）に近く且つ正面ではない位置に存在することが判定でき、またそれらの間の２領域に存在することもＴ１〜Ｔ２の間にあるかＴ２〜Ｔ３の間にあるかによって判定できる。
【００４９】
次に、ステップＳ４，Ｓ５の代わりに、上述の判定結果により、リモコン４Ａのように基準信号送信部Ａ（３３Ａ）に近く且つ正面ではない位置に存在すると判定された場合、リモコン４Ａで、基準信号送信部Ａ（３３Ａ）に近い上側の画面Ｉ（３ＬＵ）を操作することを決定し、リモコン４Ａ用の送出コードに、画面Ｉ（３ＬＵ）を操作する情報（特定信号）を加えて送信する。同様に、リモコン４Ｃのように基準信号送信部Ａ（３３Ａ）に近く且つ正面の位置に存在すると判定された場合、リモコン４Ｃで、基準信号送信部Ａ（３３Ａ）に近い下側の画面ＩＩＩ（３ＬＤ）を操作することを決定し、リモコン４Ｃ用の送出コードに、画面ＩＩＩ（３ＬＤ）を操作する情報（特定信号）を加えて送信する。
【００５０】
また、リモコン４Ｂのように基準信号送信部Ｂ（３３Ｂ）に近く且つ正面ではない位置に存在すると判定された場合、リモコン４Ｂで、基準信号送信部Ｂ（３３Ｂ）に近い上側の画面ＩＩ（３ＲＵ）を操作することを決定し、リモコン４Ｂ用の送出コードに、画面ＩＩ（３ＲＵ）を操作する情報（特定信号）を加えて送信する。同様に、リモコン４Ｄのように基準信号送信部Ｂ（３３Ｂ）に近く且つ正面の位置に存在すると判定された場合、リモコン４Ｄで、基準信号送信部Ｂ（３３Ｂ）に近い下側の画面ＩＶ（３ＲＤ）を操作することを決定し、リモコン４Ｄ用の送出コードに、画面ＩＶ（３ＲＤ）を操作する情報（特定信号）を加えて送信する。
【００５１】
図６は、図５のＴＶ受像機における他の特定処理のうちリモコン側での処理を説明するためのフロー図、図７は、図５のＴＶ受像機における他の特定処理のうちＴＶ受像機本体側での処理を説明するためのフロー図である。
【００５２】
本発明の他の実施形態として、操作画面特定手段は、上述した基準信号送信部Ａ（３３Ａ）及び基準信号送信部Ｂ（３３Ｂ）を本体側に備えると共に、次の時間差送信手段をリモコン４Ａ，４Ｂ，４Ｃ，４Ｄ側に備え、さらに次の操作画面決定手段を本体側に備えるようにしてもよい。このような実施形態を図５乃至図７を参照しながら説明するが、この実施形態においても基本的に図１で説明した構成に対し基本的に本体側プログラム及びリモコン側プログラムを変更するだけで適用できる。また、本実施形態でも、図１乃至図５で例示した実施形態における応用形態や効果と同様の応用形態や効果が適用できる。ここでも、リモコン４Ａ，４Ｂ，４Ｃ，４Ｄには、予め別々のコードを割り当てておく。
【００５３】
まず、本体側の基準信号送信部Ａ（３３Ａ），Ｂ（３３Ｂ）が、それぞれ基準信号Ａ，Ｂを発信する（ステップＳ２１）。続いて、リモコン４Ａ，４Ｂ，４Ｃ，４Ｄ側の時間差送信手段が、送信された基準信号Ａ，Ｂを受信し（ステップＳ１１）、受信した基準信号Ａ，Ｂ間の時間差を検出して（ステップＳ１２）、その時間差を示す時間差信号を送信する（ステップＳ１３）。ステップＳ１３において、各リモコン４Ａ，４Ｂ，４Ｃ，４Ｄは、ＴＶ受像機１から送出される２つの基準信号Ａ，Ｂの時間差Δｔｎ（ｎ＝１〜４で、それぞれリモコン４Ａ，４Ｂ，４Ｃ，４Ｄに対する値を示す）を重畳して、ＴＶ受像機１側に送出する。
【００５４】
次に、本体側の操作画面決定手段は、時間差送信手段で送信されリモコン受光部３２で時間差信号（Δｔ１，Δｔ２，Δｔ３，Δｔ４）を受信して検出し（ステップＳ２２）、それら時間差信号を比較し（ステップＳ２３）、時間差データが大きいデータを送信してきたリモコンから順に、画面ＩＩ（３ＲＵ）、画面ＩＶ（３ＲＤ）、画面ＩＩＩ（３ＬＤ）、画面Ｉ（３ＬＵ）の順番に操作する画面を割り当てる（ステップＳ２４）。このように、操作画面決定手段では、受信した時間差信号に基づき、本体に対するリモコン４Ａ，４Ｂ，４Ｃ，４Ｄの位置を特定し、４つの画面のうち特定した位置に対応する画面を操作対象画面として決定する。
【００５５】
ＣＰＵ２９は、このような割り当てがなされた後は、リモコン受光部３２で受信したリモコン４Ａ，４Ｂからの送出コード付き操作信号を、受信した送出コード及び割り当てに基づき現在表示中の画面のいずれに対する操作信号であるかを判定して、対応する画面の操作信号としてその操作を実行するようＴＶ受像機１内の各部を制御する。
【００５６】
また、図５乃至図７で例示した実施形態においては、所定のタイミングとして、基準信号の送信を所定の間隔で実行する場合には、時間差信号を、基準信号を受信して時間差を検出度に送信するようにするとよい。また、所定のタイミングがどのようなものかに拘わらず、時間差信号は、リモコンで操作がなされる度に、その操作に対応する操作信号と共に、送信するようにしてもよい。この場合、ＣＰＵ２９が毎回、時間差信号を判定して操作対象画面を割り当て、その操作対象画面に対して同時に受信した操作信号が示す操作を実行するようＴＶ受信機１内の各部を制御するようにしてもよい。
【００５７】
図８は、本発明の他の実施形態に係るＴＶ受像機における２つのリモコンに対する操作対象画面の特定処理を説明するための概観図、図９は、図８の特定処理を説明するためのフロー図である。
【００５８】
本発明の他の実施形態として、操作画面特定手段は、上述した基準信号送信部Ａ（３３Ａ）及び基準信号送信部Ｂ（３３Ｂ）を備えず、次の複数の操作信号受信手段及び操作画面決定手段を本体側に備えるようにしてもよい。このような実施形態を図８及び図９を参照しながら説明するが、この実施形態においても基本的に図１で説明した構成に対し、基本的に基準信号送信部Ａ（３３Ａ），Ｂ（３３Ｂ）を削除して、複数の操作信号受信手段の例としてリモコン受光部を２つ（リモコン受光部Ａ，Ｂとする）を新たに具備し、且つ本体側プログラム及びリモコン側プログラムを変更するだけで適用できる。ここでも、リモコン２Ａ，２Ｂには、予め別々のコードを割り当てておくとよいが、これに限ったものではない。
【００５９】
リモコン受光部Ａ（３２Ａ），Ｂ（３２Ｂ）は、図２で例示したようなリモコン２Ａ（又はリモコン２Ｂ）での操作に対応して送信される操作信号を異なる位置で別々に受信する（ステップＳ３１）。リモコン受光部３２Ａ，３２Ｂは、離間して設けておく必要があり、好ましくは本体の両端に設ける。本体の両端に設けることで、リモコン受光部Ａ（３２Ａ）が左画面Ｉ（３Ｌ）に近く、リモコン受光部Ｂ（３２Ｂ）が右画面ＩＩ（３Ｒ）に近くなる。
【００６０】
続いて、操作画面決定手段は、リモコン２Ａ（又はリモコン２Ｂ）からリモコン受光部Ａ（３２Ａ），Ｂ（３２Ｂ）のそれぞれで受信した同じ操作信号の時間差を特定し（ステップＳ３２）、特定した結果に基づき、その操作信号を送信したリモコン２Ａ（又はリモコン２Ｂ）の本体に対する位置を特定し（ステップＳ３３）、２画面のうち特定した位置に対応する画面を操作対象画面として決定する（ステップＳ３４／Ｓ３５）。
【００６１】
より、具体的には、ステップＳ３２では、ＣＰＵ２９が、同じ操作信号をいずれの受光部が速く受信したかを特定する。ステップＳ３３では、リモコン受光部Ａ（３２Ａ）が速く受信したか、リモコン受光部Ｂ（３２Ｂ）が速く受信したかを、ＣＰＵ２９が判定する。
【００６２】
ステップＳ３４では、ステップＳ３３により、リモコン２Ａのようにリモコン受光部Ａ（３２Ａ）に近いと判定された場合、ＣＰＵ２９が、その操作信号をリモコン受光部Ａ（３２Ａ）に近い側の画面Ｉ（３Ｌ）を操作するための信号として決定し、その操作信号が示す操作を画面Ｉ（３Ｌ）に対して実行するようＴＶ受像機１内の各部を制御する。一方、ステップＳ３５では、ステップＳ３３により、リモコン２Ｂのようにリモコン受光部Ｂ（３２Ｂ）に近いと判定された場合、ＣＰＵ２９が、その操作信号をリモコン受光部Ｂ（３２Ｂ）に近い側の画面ＩＩ（３Ｒ）を操作するための信号として決定し、その操作信号が示す操作を画面ＩＩ（３Ｒ）に対して実行するようＴＶ受像機１内の各部を制御する。
【００６３】
本実施形態では、図１乃至図５で例示した実施形態における効果と同様の効果が得られるうえに、本体側が、操作信号だけに基づきどの画面を操作しているのかを特定することができ、より構成や処理が簡易となる。また、３画面以上も図５で説明したような閾値処理を適用すれば実現できる。
【図面の簡単な説明】
【００６４】
【図１】本発明の一実施形態に係るＴＶ受像機の一構成例を示すブロック図である。
【図２】図１のＴＶ受像機に付属するリモコンの一例を示す外観図である。
【図３】図１のＴＶ受像機における２つのリモコンに対する操作対象画面の特定処理を説明するための概観図である。
【図４】図３の特定処理を説明するためのフロー図である。
【図５】図１のＴＶ受像機における４つのリモコンに対する操作対象画面の特定処理を説明するための概観図である。
【図６】図５のＴＶ受像機における他の特定処理のうちリモコン側での処理を説明するためのフロー図である。
【図７】図５のＴＶ受像機における他の特定処理のうちＴＶ受像機本体側での処理を説明するためのフロー図である。
【図８】本発明の他の実施形態に係るＴＶ受像機における２つのリモコンに対する操作対象画面の特定処理を説明するための概観図である。
【図９】図８の特定処理を説明するためのフロー図である。
【符号の説明】
【００６５】
１…ＴＶ受像機、２Ａ，２Ｂ，４Ａ，４Ｂ，４Ｃ，４Ｄ…リモコン、１１…受信アンテナ、１２…受信アンテナ、１３…アナログチューナ部、１４…デジタルチューナ部、１５…ＡＶスイッチ部、１６…デジタル復調部、１７…分離部、１８…キャプチャ部、１９…ビデオセレクタ部、２０…ＥＰＧ／ＯＳＤ／予約処理部、２１…オーディオデコード部、２２…ビデオ出力変換部、２３…オーディオセレクタ部、２４…オーディオ出力変換部、２５…液晶表示装置、２６…スピーカ、２７…選局部、２８…ＲＡＭ、２９…ＣＰＵ、３０…不揮発性メモリ、３１…通信制御部、３２…リモコン受光部、３２Ａ，３２Ｂ…リモコン受光部、４０…電源ボタン、４１…チャンネル選択ボタン、４２…チャンネル上下ボタン、４３…放送切換ボタン、４５…入力切換ボタン、４５ａ…番組表表示ボタン、４５ｂ…テレテキスト表示ボタン、４５ｃ…番組情報表示ボタン、４６…メニュー画面表示ボタン、４７…移動・決定ボタン、４８ａ…戻るボタン、４８ｂ…終了ボタン、４９…カラーボタン、４９ｂ…青ボタン、４９ｇ…緑ボタン、４９ｒ…赤ボタン、４９ｙ…黄ボタン。
【図１】
2008034977.tif 000003
【図２】
2008034977.tif 000004
【図３】
2008034977.tif 000005
【図４】
2008034977.tif 000006
【図５】
2008034977.tif 000007
【図６】
2008034977.tif 000008
【図７】
2008034977.tif 000009
【図８】
2008034977.tif 000010
【図９】
2008034977.tif 000011